(57)【要約】      （修正有）【課題】オムツを着用している一人歩きできない乳幼児に着せる場合でも乳幼児を寝かせたまま容易に着せることができ、着用状態におけるずれ落ちを防止できるようにした子供用衣服を提供する。【解決手段】前身頃の股上よりも上部部分１ａの左右両側と後身頃２の左右両側に設けた持ち出し部分３ａ，３ｂとの間を上下方向複数箇所において面ファスナー４により開閉自在に結合させ、さらに前身頃１の内側において前記後身頃２の左右両側に設けた持ち出し部分３ａ，３ｂを腹の中心部まで延長させ、一方の持ち出し部分３ａの先端と他方の持ち出し部分３ｂの先端とを面ファスナー１０により脱着自在に結合させるように構成した。【選択図】図５
0003142258.tif 000002
【実用新案登録請求の範囲】
【請求項１】
前身頃の股上よりも上部部分の左右両側と後身頃の左右両側に設けた持ち出し部分との間を上下方向複数箇所において面ファスナーやホックなどの結合手段により開閉自在に結合させ、さらに前身頃の内側において前記後身頃の左右両側に設けた持ち出し部分を腹の中心部まで延長させ、一方の持ち出し部分の先端と他方の持ち出し部分の先端とを面ファスナーやホックなどの結合手段により脱着自在に結合させるように構成したことを特徴とする子供用衣服。
【考案の詳細な説明】
【技術分野】
【０００１】
本考案は、特に一人歩きできない乳幼児用として好適な子供用衣服に関するものである。
【背景技術】
【０００２】
従来の子供用衣服としては例えば特許文献１に開示されているようなオーバーオールタイプの衣服が知られている。このオーバーオールタイプの衣服は、ズボンの前部の両側にそれぞれ胸当の下側部から裾部の間に裁断線を入れここが開閉できるように止具を付し、後身頃の上端部に紐を付し止具を持って胸当に適宜着脱できるように作られている。
【特許文献１】実公昭３７−４６８８号公報
【考案の開示】
【考案が解決しようとする課題】
【０００３】
しかしながら、上記特許文献１に開示されているような子供用衣服は、着用状態により乳幼児の動きによって紐と胸当を止めている止具の係止が外れ、それにより衣服（ズボン）がずれ落ちて脱げるという問題があった。
【０００４】
本考案の目的は、このような課題を解決するものであり、オムツを着用している一人歩きできない乳幼児に着せる場合でも乳幼児を寝かせたまま容易に着せることができ、着用状態におけるずれ落ちを防止できるようにした子供用衣服を提供することにある。
【課題を解決するための手段】
【０００５】
本考案の請求項１に記載の子供用衣服は、前身頃の股上よりも上部部分の左右両側と後身頃の左右両側に設けた持ち出し部分との間を上下方向複数箇所において面ファスナーやホックなどの結合手段により開閉自在に結合させ、さらに前身頃の内側において前記後身頃の左右両側に設けた持ち出し部分を腹の中心部まで延長させ、一方の持ち出し部分の先端と他方の持ち出し部分の先端とを面ファスナーやホックなどの結合手段により脱着自在に結合させるように構成したことを特徴とする。
【考案の効果】
【０００６】
以上のように、本考案の子供用衣服をオムツを着用している一人歩きできない乳幼児に着せる場合、前記面ファスナーやホックなどの結合手段の部分で前身頃の股上よりも上部部分を前方に大きく開き、また前身頃の内側に位置する一方の持ち出し部分の先端と他方の持ち出し部分の先端との結合部の面ファスナーやホックなどの結合手段を開いた状態で子供用衣服を床などの上に置き、この子供用衣服の上に乳幼児を寝かせたまま置き、乳幼児の脚を股下部分に通し、前記一方の持ち出し部分の先端と他方の持ち出し部分の先端とを互いに近づくように引き寄せて面ファスナーやホックなどの結合手段で結合させ、前記前身頃の上部部分の左右両側を面ファスナーやホックなどの結合手段で閉じることにより乳幼児を寝かせたまま容易に着せることができる。また、この子供用衣服を着た乳幼児が激しく動いても、先端同士が互いに近づくように引き寄せられた状態を面ファスナーやホックなどの結合手段で保持された一方の持ち出し部分と他方の持ち出し部分とにより乳幼児のおなかの部分が適度に締められているので子供用衣服がずれ落ちるということもなく、着用状態を安定させることができる。
【考案を実施するための最良の形態】
【０００７】
以下、本考案の実施の形態を、図面を用いて具体的に説明する。
先ず、図１〜図６に示す第１の実施の形態について説明すると、この第１の実施の形態の子供用衣服は乳幼児に好適なオーバーオールの形態を呈し、オーバーオールの前身頃１の股上よりも上部部分１ａの左右両側と後身頃２の左右両側に設けた持ち出し部分３ａ，３ｂとの間を上下方向複数箇所において面ファスナー４で開閉自在に結合させ、前身頃１の上部部分１ａのほぼ上半分で形成される胸当５の上端には釦孔６が形成され、後身頃２の上部の背当７の上端部に肩紐８を取り付け、この肩紐８の先端に設けた釦９を前記釦孔６に掛け止めできるように構成され、さらに前身頃１の内側において前記後身頃２の左右両側に設けた持ち出し部分３ａ，３ｂを腹の中心部まで延長させ、一方の持ち出し部分３ａの先端と他方の持ち出し部分３ｂの先端とを面ファスナー１０で脱着自在に結合させるようになっている。
【０００８】
なお、この実施の形態のオーバーオールは股下部分１１の左右の内側がホック１２により一体的に開閉できるように作られている。
上記構成において、オーバーオールをオムツを着用している一人歩きできない乳幼児に着せる場合、肩紐８の釦９を釦孔６から外した状態で前記面ファスナー４の部分で前身頃１の股上よりも上部部分１ａを前方に大きく開き、また前身頃１の内側に位置する一方の持ち出し部分３ａの先端と他方の持ち出し部分３ｂの先端との結合部の面ファスナー１０を開き、さらに前記ホック１２の部分で股下部分１１を大きく開いた状態でオーバーオールを床などの上に置き、このオーバーオールの上に乳幼児を寝かせたまま置き、乳幼児の脚を前記開かれた股下部分１１に通し、股下部分１１のホック１２を閉じるとともに前記一方の持ち出し部分３ａの先端と他方の持ち出し部分３ｂの先端とを互いに近づくように引き寄せて面ファスナー１０で結合させ、前記前身頃１の上部部分１ａの左右両側を面ファスナー４で閉じ、肩紐８の釦９を釦孔６に掛け止めすることにより乳幼児を寝かせたまま容易に着せることができる。
【０００９】
そして、このオーバーオールを着た乳幼児が激しく動いて肩紐８の釦９が釦孔６から外れても、先端同士が互いに近づくように引き寄せられた状態を面ファスナー１０で保持された一方の持ち出し部分３ａと他方の持ち出し部分３ｂとにより乳幼児のおなかの部分が適度に締められているのでオーバーオールがずれ落ちるということもなく、着用状態を安定させることができる。
【００１０】
以上オーバーオールの形態を呈する第１の実施の形態の子供用衣服について説明したが、次に図７〜図１０に示すズボンの形態を呈する第２の実施の形態の子供用衣服について説明する。この第２の実施の形態のズボンにおいても前身頃１の股上よりも上部部分１ａの左右両側と後身頃２の左右両側に設けた持ち出し部分３ａ，３ｂとの間を上下方向複数箇所において面ファスナー４で開閉自在に結合させ、さらに前身頃１の内側において前記後身頃２の左右両側に設けた持ち出し部分３ａ，３ｂを腹の中心部まで延長させ、一方の持ち出し部分３ａの先端と他方の持ち出し部分３ｂの先端とを面ファスナー１０で脱着自在に結合させるようになっている。
【００１１】
従って、このズボンをオムツを着用している一人歩きできない乳幼児に着せる場合、前記面ファスナー４の部分で前身頃１の股上よりも上部部分１ａを前方に大きく開き、また前身頃１の内側に位置する一方の持ち出し部分３ａの先端と他方の持ち出し部分３ｂの先端との結合部の面ファスナー１０を開いた状態でズボンを床などの上に置き、このズボンの上に乳幼児を寝かせたまま置き、乳幼児の脚を股下部分１１に通し、前記一方の持ち出し部分３ａの先端と他方の持ち出し部分３ｂの先端とを互いに近づくように引き寄せて面ファスナー１０で結合させ、前記前身頃１の上部部分１ａの左右両側を面ファスナー４で閉じることにより乳幼児を寝かせたまま容易に着せることができる。
【００１２】
なお、前記各部を閉じるために面ファスナーやホックを用いたが、全体を面ファスナーで統一しても良く、あるいはホックで統一しても良い。また、前身頃１の股上よりも上部部分１ａの左右両側と後身頃２の左右両側に設けた持ち出し部分３ａ，３ｂとの間を開閉する上下方向複数箇所の面ファスナー４の上端に位置する面ファスナー４をホックとすることも可能である。
【図面の簡単な説明】
【００１３】
【図１】本考案の第１の実施の形態におけるオーバーオールの正面図である。
【図２】同オーバーオールの背面図である。
【図３】同オーバーオールの股下部分を開いた状態を示す斜視図である。
【図４】同オーバーオールを乳幼児に着せるために前身頃の股上よりも上部部分を前方に開いた状態を示す斜視図である。
【図５】同オーバーオールを乳幼児に着せる途中の状態を示す平面図である。
【図６】同オーバーオールを乳幼児に着せ終わった状態を示す平面図である。
【図７】本考案の第２の実施の形態におけるズボンの正面図である。
【図８】同ズボンを乳幼児に着せるために前身頃の股上よりも上部部分を前方に開いた状態を示す斜視図である。
【図９】同ズボンを乳幼児に着せる途中の状態を示す平面図である。
【図１０】同ズボンを乳幼児に着せ終わった状態を示す平面図である。
【符号の説明】
【００１４】
１            前身頃
１ａ          上部部分
２            後身頃
３ａ，３ｂ    持ち出し部分
４            面ファスナー
５            胸当
６            釦孔
７            背当
８            肩紐
９            釦
１０            面ファスナー
１１            股下部分
【図１】
0003142258.tif 000003
【図２】
0003142258.tif 000004
【図３】
0003142258.tif 000005
【図４】
0003142258.tif 000006
【図５】
0003142258.tif 000007
【図６】
0003142258.tif 000008
【図７】
0003142258.tif 000009
【図８】
0003142258.tif 000010
【図９】
0003142258.tif 000011
【図１０】
0003142258.tif 000012